(57)【要約】【課題】  見栄えが良く、外観品質の高いホースリールを提供する。【解決手段】  ホースリール１０は、本体ケース２０と、本体ケース２０に回転可能に収納されるドラム４０と、ドラム４０に巻き取られるホース１１と、本体ケース２０に設けられ、ホース１１を挿通させる開口部１２と、ホース１１の先端に接続され、散水される水の形態を切り換え可能な散水用ノズル６０と、を有する。散水用ノズル６０は、開口部１２を通じて本体ケース２０に出し入れ可能である。本体ケース２０は、ドラム４０に巻き取られたホース１１との間に、散水用ノズル６０を収納させる収納空間Ｓ１を有する。【選択図】  図１
0003173873.tif 000002
【実用新案登録請求の範囲】
【請求項１】
本体ケースと、前記本体ケースに回転可能に収納されるドラムと、前記ドラムに巻き取られるホースと、前記本体ケースに設けられ、前記ホースを挿通させる開口部と、前記ホースの先端に接続され、散水される水の形態を切り換え可能な散水用ノズルと、を有するホースリールであって、
前記散水用ノズルは、前記開口部を通じて前記本体ケースに出し入れ可能であり、
前記本体ケースは、前記ドラムに巻き取られた前記ホースとの間に、前記散水用ノズルを収納可能な収納空間を有することを特徴とするホースリール。
【請求項２】
前記開口部を開閉可能な蓋材を有することを特徴とする請求項１に記載のホースリール。
【考案の詳細な説明】
【技術分野】
【０００１】
本考案は、ホースリールに関し、特に、ホースの先端に散水用ノズルを備えたホースリールに関する。
【背景技術】
【０００２】
散水用のホースをドラムに巻き取るようにしたホースリールが広く利用されている。従来、ホースリールに関する各種の技術が提案されている（たとえば、特許文献１参照）。
【０００３】
特許文献１には、本体ケースにドラムを回動自在に支持させ、本体ケースの前面にホースが挿通する出入口を設け、本体ケースの側面にドラムを回動するためのハンドルを設けてなるホースリールが開示されている。
【０００４】
このホースリールでは、ハンドルを回すことにより、ホースを出入口から本体ケースの中に取り込み、ドラムに巻き取る。これにより、非使用時には、ホースを本体ケースに収納することができ、見栄えの良いホースリールが得られる。
【０００５】
ところで、ホースリールにおいては、散水の形態を切り換えるための散水用ノズルをホース先端に接続するのが一般的である。近年、散水用品の外観品質の向上が求められる中、散水用ノズルを備えるホースリールにおいても、非使用時の見栄えを高める技術が望まれている。
【先行技術文献】
【特許文献】
【０００６】
【特許文献１】特開２０１０−１００４３８号公報（図１）
【考案の概要】
【考案が解決しようとする課題】
【０００７】
しかしながら、特許文献1には、散水用ノズルを備えるホースリールの外観品質を高める技術は、開示されていない。仮に、特許文献1に開示されるホースリールに散水用ノズルを設けた場合、本体ケースの出入口に散水用ノズルを差し込んだり、本体ケースの近くに散水用ノズルを放置したりするしかなく、見栄えが悪い。
【０００８】
そこで、本考案は、このような事情に鑑みてなされたものであり、その目的は、見栄えが良く、外観品質の高いホースリールを提供することにある。
【課題を解決するための手段】
【０００９】
本考案のホースリールは、本体ケースと、前記本体ケースに回転可能に収納されるドラムと、前記ドラムに巻き取られるホースと、前記本体ケースに設けられ、前記ホースを挿通させる開口部と、前記ホースの先端に接続され、散水される水の形態を切り換え可能な散水用ノズルと、を有するホースリールであって、前記散水用ノズルは、前記開口部を通じて前記本体ケースに出し入れ可能であり、前記本体ケースは、前記ドラムに巻き取られた前記ホースとの間に、前記散水用ノズルを収納可能な収納空間を有することを特徴とする。
【００１０】
上記考案は、前記開口部を開閉可能な蓋材を有することを特徴とする。
【考案の効果】
【００１１】
本考案によれば、散水用ノズルを本体ケースに収納できるため、見栄えが良く、外観品質の高いホースリールを得ることができる。また、散水用ノズルの汚染を防止することもできる。
【図面の簡単な説明】
【００１２】
【図１】本考案のホースリールを正面側から見た斜視図である。
【図２】ホースリールの右側面図である。
【図３】ホースリールを背面側から見た斜視図である。
【図４】図２のＡ−Ａ線断面図である。
【図５】図４のＢ−Ｂ線断面図であり、（ａ）は蓋材を閉めた状態を示す図、（ｂ）は蓋材を開けた状態を示す図である。
【図６】ホースリールの作用を説明する斜視図であり、（ａ）は使用中のホースリールを示す図、（ｂ）は使用後にホースおよび散水用ノズルを収納する方法を説明する図、（ｃ）は非使用時のホースリールの外観を示す図である。
【考案を実施するための形態】
【００１３】
以下、添付図面を参照して、本考案を実施するための形態（以下、実施形態）について詳細に説明する。なお、実施形態の説明の全体を通して同じ要素には同じ番号を付している。また、左・右は、ホースリールの開口部側（ホースの取り出し側）に正対したときの左側・右側とし、前・後は、ホースリールの開口部側（ホースの取り出し側）に正対したときの手前側・奥側とする。
【００１４】
図１に示すように、本考案にかかる実施形態のホースリール１０は、本体ケース２０と、本体ケース２０に回転可能に収納されるドラム４０と、ドラム４０に巻き取られるホース１１と、本体ケース２０に設けられ、ホース１１を挿通させる開口部１２と、開口部１２を開閉可能な蓋材５０と、を有する。
【００１５】
また、ホースリール１０は、ホース１１の先端に接続される散水用ノズル６０と、本体ケース２０の内面とホース１１の間に散水用ノズル６０を収納させる収納空間Ｓ１と、を有する。
【００１６】
以下、各部の構成を図１〜図５に基づいて詳細に説明する。
本体ケース２０は、図１に示すように、ドラム４０、ホース１１および散水用ノズル６０を完全に収納できるケースであり、ドラム４０の回転軸Ｃを中心にほぼ円筒状に形成される。本体ケース２０は、左右に２分割される椀状の左ケース２１Ｌ、右ケース２１Ｒで構成される。本体ケース２０の底部には、本体ケース２０を自立させる台座部２２が設けられる。本体ケース２０の上壁部２３は、側面視で、回転軸Ｃを中心に円弧状に形成される壁である。上壁部２３の前部には、開口部１２が形成される。
【００１７】
なお、本体ケース２０の構成は、この例に格別に限定されるものではなく、ドラム４０、ホース１１、散水用ノズル６０を収納できれば、分割方向や形状は任意である。
【００１８】
開口部１２は、正面視でほぼ長方形状を呈する。開口部１２は、散水用ノズル６０の外形よりも大きく開口しており、この開口部１２を通じて、散水用ノズル６０は、本体ケース２０に出し入れ可能である。開口部１２の形状は、長方形に限定されるものではなく、円形や長円形、正方形等でもよく、ホース１１および散水用ノズル６０を出し入れ可能であれば、任意である。
【００１９】
ドラム４０は、回転軸Ｃを左右方向に向けて本体ケース２０内に収納され、本体ケース２０に回転可能に支持される。ドラム４０は、ホース１１が巻かれる円筒状の胴部４１（図４参照）と、この胴部４１の左右の両端部に設けられる円盤状の鍔部４２Ｌ，４２Ｒと、を有する。
【００２０】
左ケース２１Ｌの側面の中心部には、内側に凹む陥没部２５が設けられる。陥没部２５には、ホース１１に水を供給するための給水手段７０が接続される。給水手段７０は、蛇口（図示省略）に直接的または間接的に連結される給水管７１と、給水管７１からの水をドラム４０側に導出する接続プラグ７２と、を有する。
【００２１】
図２に示すように、右ケース２１Ｒの側面は、円形に大きく開口しており、この開口を内側から塞ぐように、ドラム４０の鍔部４２Ｒが配置される。鍔部４２Ｒの側面には、鍔部４２Ｒを回転させるためのハンドル１３が設けられる。ハンドル１３は、鍔部４２Ｒに対して回転可能である。使用者は、ハンドル１３を把持して鍔部４２Ｒを回すことで、ドラム４０の胴部４１にホース１１を巻き取ることができる。なお、図２において符号１５で示す部材は、左ケース２１Ｌ（図１参照）と右ケース２１Ｒを締結するためのねじ部材である。
【００２２】
散水用ノズル６０は、ホース１１の先端に接続されるノズル本体６１と、ノズル本体６１の先端に設けられる噴出部６２と、ノズル本体６１に回動可能に設けられるレバー部６３と、を有する。散水用ノズル６０では、使用者がノズル本体６１を持ってレバー部６３を握ると、ノズル本体６１内の水路が連通し（水圧が解放され）、噴出部６２から水を噴出させることできる。また、噴出部６２は、噴出される水の形態を切り換える機能を有する。たとえば、噴出部６２を回すことで、水の形態をシャワー状、ジェット状、如雨露状、拡散状、霧状、ストレート状（直線状）等の中から任意に選択することができる。
【００２３】
図３に示すように、本体ケース２０の上壁部２３の後部には、ホースリール１０を持ち運ぶための把持部２６が設けられる。把持部２６は、ほぼコの字状を呈しており、両端部が上壁部２３に回動可能に取り付けられる。上壁部２３には、把持部２６を格納させる格納凹部２７が設けられる。格納凹部２７は、把持部２６に合わさるほぼコの字状の凹みである。格納凹部２７に把持部２６が格納されることで、把持部２６の周りは見栄えが良くなる。
【００２４】
図４に示すように、左ケース２１Ｌの中心部には、陥没部２５に連なる軸筒部２８が形成される。軸筒部２８の基端部には、本体ケース２０の内部と外部を区画する区画壁２８ａが設けられる。区画壁２８ａには、継ぎ手手段８０が貫通して設けられる。継ぎ手手段８０の一端部には、給水手段７０の接続プラグ７２が取り付けられる。接続プラグ７２は、継ぎ手手段８０に対して着脱可能でかつ回転可能である。継ぎ手手段８０の他端部には、ホース１１の基端が接続される。
【００２５】
軸筒部２８の外周面には、胴部４１の内周面が嵌合される。これにより、ドラム４０は、軸筒部２８に回転可能に支持される。また、胴部４１の任意の箇所には、ホース取り出し部４３が貫通される。継ぎ手手段８０に接続されたホース１１は、ホース取り出し部４３から胴部４１の外周面側に導出される。また、本体ケース２０の上壁部２３の裏面には、互いに向き合い、かつ、内向きに突出する左右１対のレール部３１が設けられる。
【００２６】
図５（ａ）に示すように、レール部３１は、回転軸Ｃを中心に円弧状に形成され、前下方に向けて傾斜する。レール部３１の後端は、ドラム４０の上方に位置し、レール部３１の前端は、ドラム４０の前方に位置する。
【００２７】
蓋材５０は、開口部１２を内側から覆う蓋材本体５１と、蓋材本体５１の左右両端部に設けられてレール部３１の上面を摺動可能な複数の摺動部５２と、を有する。蓋材本体５１は、側面視では、上壁部２３の裏面に沿うように円弧状に形成され、正面視では、開口部１２の外形に合わせたほぼ長方形状に形成される。また、蓋材本体５１の下端には、凹状の指掛け部５３が設けられる。使用者は、図５（ｂ）に示すように、指掛け部５３に指を挿入し、白抜きの矢印で示す向きに蓋材５０を摺動させて、開口部１２を開けることができる。
【００２８】
なお、蓋材５０の裏面の前部に、位置決め用突起５４を設けることができる。この場合、レール部３１における、開口部１２の上端近傍および下端近傍に、係合部３３を設ける。これにより、蓋材５０の全閉位置および全開位置において、位置決め用突起５４を係合部３３に係合させることで、蓋材５０を位置決めすることができる。
【００２９】
そして、図５（ａ）に示すように、散水用ノズル６０を収納する収納空間Ｓ１は、本体ケース２０の内部における開口部１２付近に形成される。この例では、収納空間Ｓ１は、ドラム４０の前下方に形成される。すなわち、本体ケース２０の前壁３２の下部をドラム４０から遠ざかる方向（前方）に逃がし、前壁３２とホース１１との間に広い空間を確保し、この広い空間を収納空間Ｓ１とした。
【００３０】
なお、ここでは、収納空間Ｓ１をドラム４０の前下方に設けたが、散水用ノズル６０を収納する収納空間は、ドラム４０上方の空間（図５（ａ）中、符号Ｓ２で示す）や、蓋材５０の裏面近傍の空間（図５（ａ）中、符号Ｓ３で示す）でもよく、位置は任意である。また、収納される散水用ノズル６０の向きも任意である。
【００３１】
以上の構成を有するホースリール１０の作用を図６に基づいて説明する。
図６（ａ）に示すように、使用者は、散水用ノズル６０を用いて散水作業を行う。散水作業を終えた後、ハンドル１３を回して（矢印（１））、ホース１１をドラム４０に巻き取る（矢印（２））。ホース１１を巻き終えたら、図６（ｂ）に示すように、散水用ノズル６０を開口部１２から本体ケース２０の中に入れ、収納空間Ｓ１に収納する（矢印（３））。そして、蓋材５０を前下方に摺動させ（矢印（４））、開口部１２を閉じる。すると、図６（ｃ）に示すように、全ての散水用パーツが本体ケース２０内に収納されたホースリール１０が得られる。すなわち、ホース１１や散水用ノズル６０が外から全く見えない。
【００３２】
以上、説明したホースリール１０によれば、非使用時において、散水用ノズル６０を本体ケース２０に収納できるため、見栄えが良くなり、高い外観品質を得ることができる。また、散水用ノズル６０やホース１１が完全に覆われるので、散水用ノズル６０やホース１１の汚染を防止することもできる。
【００３３】
以上、実施形態を用いて本考案を説明したが、本考案の技術的範囲は上記実施形態に記載の範囲には限定されないことは言うまでもない。上記実施形態に、多様な変更または改良を加えることが可能であることが当業者に明らかである。またその様な変更または改良を加えた形態も本考案の技術的範囲に含まれ得ることが、実用新案登録請求の範囲の記載から明らかである。
【符号の説明】
【００３４】
１０  ホースリール
１１  ホース
１２  開口部
２０  本体ケース
４０  ドラム
５０  蓋材
６０  散水用ノズル
Ｓ１  収納空間
【図１】
0003173873.tif 000003
【図２】
0003173873.tif 000004
【図３】
0003173873.tif 000005
【図４】
0003173873.tif 000006
【図５】
0003173873.tif 000007
【図６】
0003173873.tif 000008